【手続補正書】
【提出日】平成16年12月27日(2004.12.27)
【手続補正１】
【補正対象書類名】明細書
【補正対象項目名】００１２
【補正方法】変更
【補正の内容】
【００１２】
またＲｆとしては、炭素−炭素不飽和二重結合を１個以上有していてもよく、また、炭素原子の一部がエーテル性酸素原子で置換されていてもよい。たとえば、ペルフル（オロオキシプロピレン）基を１個以上有するポリフルオロ（オキサアルキル）（特に、ペルフルオロ（オキサアルキル）基）が好ましく挙げられる。
【手続補正２】
【補正対象書類名】明細書
【補正対象項目名】００１３
【補正方法】変更
【補正の内容】
【００１３】
Ｒｆとしては、下記の基が好ましく挙げられるが、これらに限定されない。
ＣＦ３−、Ｆ（ＣＦ２）２−、Ｆ（ＣＦ２）３−、Ｆ（ＣＦ２）４−、Ｆ（ＣＦ２）５−、Ｆ（ＣＦ２）６−、Ｆ（ＣＦ２）４ＣＨ２ＣＦ２−、Ｆ（ＣＦ２）４（ＣＨ２ＣＦ２）２−、Ｆ（ＣＦ２）４（ＣＨ２ＣＦ２）３−、Ｆ（ＣＦ２）５ＣＨ２ＣＦ２−、Ｆ（ＣＦ２）６（ＣＨ２ＣＦ２）２−、Ｆ（ＣＦ２）６（ＣＨ２ＣＦ２）３−、（ＣＦ３）ＣＦ（ＣＦ２）２−、Ｈ（ＣＦ２）６−、Ｈ（ＣＦ２）２−、Ｃｌ（ＣＦ２）４−、Ｆ（ＣＦ２）４（ＣＨ２ＣＦ２）３−、Ｆ（ＣＦ２）６（ＣＨ２ＣＦ２）３−、Ｆ（ＣＦ２）４（ＣＦＣｌＣＦ２）２−、ＣＦ３ＣＦ＝ＣＦＣＦ２ＣＦ＝ＣＦ−、ＣＦ３ＣＦ２Ｃ（ＣＦ３）ＣＨ（ＣＦ３）（ＣＦ２）２−、ＣｅＦ２ｅ＋１Ｏ［ＣＦ（ＣＦ３）ＣＦ２Ｏ］ｇＣＦ（ＣＦ３）−、Ｃ３Ｆ７Ｏ［ＣＦ（ＣＦ３）ＣＦ２Ｏ］ｇ（ＣＦ２）ｈ−（ただし、ｅは３〜１０の整数、ｇは０〜８の整数、ｈは０〜１０の整数。）。
【手続補正３】
【補正対象書類名】明細書
【補正対象項目名】００２３
【補正方法】変更
【補正の内容】
【００２３】
Ｇとしては、重合性に優れることから（メタ）アクリレート類の残基、マレイン酸エステル類またはフマル酸エステル類の残基が好ましく、特に、溶媒に対する溶解性や乳化重合が容易であることから（メタ）アクリレート類の残基が好ましい。
【手続補正４】
【補正対象書類名】明細書
【補正対象項目名】００２４
【補正方法】変更
【補正の内容】
【００２４】
単量体（ｄ）としては、公知のＲｆ基含有単量体を使用してもよい。単量体（ｄ）の具体例としては、下記の化合物が好ましく挙げられる。ただし、Ｒは水素原子またはメチル基を示す。
Ｆ（ＣＦ２）３ＣＨ２ＯＣＯＣＲ＝ＣＨ２、
Ｆ（ＣＦ２）４ＣＨ２ＯＣＯＣＲ＝ＣＨ２、
Ｆ（ＣＦ２）５ＣＨ２ＯＣＯＣＲ＝ＣＨ２、
Ｆ（ＣＦ２）６ＣＨ２ＣＨ２ＯＣＯＣＲ＝ＣＨ２、
Ｈ（ＣＦ２）６ＣＨ２ＣＨ２ＯＣＯＣＲ＝ＣＨ２、
Ｆ（ＣＦ２）８ＣＨ２ＣＨ２ＯＣＯＣＲ＝ＣＨ２、
（ＣＦ３）２ＣＦ（ＣＦ２）５ＣＨ２ＣＨ２ＯＣＯＣＲ＝ＣＨ２、
Ｆ（ＣＦ２）８ＳＯ２Ｎ（Ｃ３Ｈ７）ＣＨ２ＣＨ２ＯＣＯＣＲ＝ＣＨ２、
Ｆ（ＣＦ２）８ＣＨ２ＣＨ２ＣＨ２ＯＣＯＣＲ＝ＣＨ２、
Ｆ（ＣＦ２）８（ＣＨ２）４ＯＣＯＣＲ＝ＣＨ２、
Ｆ（ＣＦ２）８  Ｈ２ＣＨ２ＣＨ（ＣＨ３）ＯＣＯＣＲ＝ＣＨ２、
Ｆ（ＣＦ２）８ＳＯ２Ｎ（ＣＨ３）ＣＨ２ＣＨ２ＯＣＯＣＲ＝ＣＨ２、
Ｆ（ＣＦ２）８ＳＯ２Ｎ（Ｃ２Ｈ５）ＣＨ２ＣＨ２ＯＣＯＣＲ＝ＣＨ２、
Ｆ（ＣＦ２）８ＣＯＮＨＣＨ２ＣＨ２ＯＣＯＣＲ＝ＣＨ２、
Ｆ（ＣＦ２）８ＣＨ２ＣＦ２（ＣＨ２）２ＯＣＯＣＨ＝ＣＨ２、
Ｆ（ＣＦ２）８ＣＯＮＨ（ＣＨ２）３ＣＨ＝ＣＨ２、
（ＣＦ３）２ＣＦ（ＣＦ２）５（ＣＨ２）３ＯＣＯＣＲ＝ＣＨ２、
Ｆ（ＣＦ２）９ＣＨ２ＣＨ２ＯＣＯＣＲ＝ＣＨ２、
Ｆ（ＣＦ２）９ＣＯＮＨＣＨ２ＣＨ２ＯＣＯＣＲ＝ＣＨ２、
Ｆ（ＣＦ２）１０ＣＨ２ＣＯＯＣＲ＝ＣＨ２、
Ｆ（ＣＦ２）１０（ＣＨ２）２ＯＣＯＣＲ＝ＣＨ２、
Ｆ（ＣＦ２）１０（ＣＨ２）３ＯＣＯＣＲ＝ＣＨ２、
Ｆ（ＣＦ２）１０（ＣＨ２）１１ＯＣＯＣＲ＝ＣＨ２、
Ｆ（ＣＦ２）１０ＣＯＮＨ（ＣＨ２）２ＣＲ＝ＣＨ２、
Ｆ（ＣＦ２）１０ＣＯＮＨ（ＣＨ２）５ＯＣＯＣＲ＝ＣＨ２、
Ｆ（ＣＦ２）１０（ＣＦ２）２（ＣＨ２）２ＯＣＯＣＲ＝ＣＨ２、
Ｃｌ（ＣＦ２）１０（ＣＨ２）３ＯＣＯＣＲ＝ＣＨ２、
Ｆ（ＣＦ２）１４ＳＯ２ＮＨ（ＣＨ２）２ＣＲ＝ＣＨ２、
Ｆ（ＣＦ２）１４（ＣＨ２）６ＯＣＯＣＲ＝ＣＨ２、
ＣＦ３ＣＨ２ＣＦ２（ＣＨ２）２ＯＣＯＣＲ＝ＣＨ２、
ＣＦ３（ＣＨ２ＣＦ２）２（ＣＨ２）２ＯＣＯＣＲ＝ＣＨ２、
ＣＦ３（ＣＨ２ＣＦ２）３（ＣＨ２）２ＯＣＯＣＲ＝ＣＨ２、
Ｆ（ＣＦ２）４ＣＨ２ＣＦ２（ＣＨ２）２ＯＣＯＣＲ＝ＣＨ２
Ｆ（ＣＦ２）４（ＣＨ２ＣＦ２）２（ＣＨ２）２ＯＣＯＣＲ＝ＣＨ２、
Ｆ（ＣＦ２）４（ＣＨ２ＣＦ２）３（ＣＨ２）２ＯＣＯＣＲ＝ＣＨ２、
Ｆ（ＣＦ２）６ＣＨ２ＣＦ２（ＣＨ２）２ＯＣＯＣＲ＝ＣＨ２、
Ｆ（ＣＦ２）６（ＣＨ２ＣＦ２）２（ＣＨ２）２ＯＣＯＣＲ＝ＣＨ２、
Ｆ（ＣＦ２）６（ＣＨ２ＣＦ２）３（ＣＨ２）２ＯＣＯＣＲ＝ＣＨ２、
Ｆ（ＣＦ２）８ＣＨ２ＣＦ２（ＣＨ２）２ＯＣＯＣＲ＝ＣＨ２、
Ｆ（ＣＦ２）８（ＣＨ２ＣＦ２）２（ＣＨ２）２ＯＣＯＣＲ＝ＣＨ２、
Ｆ（ＣＦ２）８（ＣＨ２ＣＦ２）３（ＣＨ２）２ＯＣＯＣＲ＝ＣＨ２、
Ｆ（ＣＦ２）１０ＣＨ２ＣＦ２（ＣＨ２）２ＯＣＯＣＲ＝ＣＨ２、
Ｆ（ＣＦ２）１０（ＣＨ２ＣＦ２）２（ＣＨ２）２ＯＣＯＣＲ＝ＣＨ２、
Ｆ（ＣＦ２）１０（ＣＨ２ＣＦ２）３（ＣＨ２）２ＯＣＯＣＲ＝ＣＨ２、
Ｃ３Ｆ７ＯＣＦ（ＣＦ３）ＣＯＮＨＣ２Ｈ４ＯＣＯＣＲ＝ＣＨ２、
Ｃ６Ｆ１３ＯＣＦ（ＣＦ３）ＣＨ２ＯＣＯＣＲ＝ＣＨ２、
Ｃ３Ｆ７Ｏ［ＣＦ（ＣＦ３）ＣＦ２Ｏ］２ＣＦ（ＣＦ３）（ＣＨ２）２ＯＣＯＣＲ＝ＣＨ２、
Ｃ３Ｆ７Ｏ［ＣＦ（ＣＦ３）ＣＦ２Ｏ］３ＣＦ（ＣＦ３）（ＣＨ２）２ＯＣＯＣＲ＝ＣＨ２、
Ｃ３Ｆ７Ｏ［ＣＦ（ＣＦ３）ＣＦ２Ｏ］４ＣＦ（ＣＦ３）（ＣＨ２）２ＯＣＯＣＲ＝ＣＨ２、
Ｃ３Ｆ７Ｏ［ＣＦ（ＣＦ３）ＣＦ２Ｏ］５ＣＦ（ＣＦ３）（ＣＨ２）２ＯＣＯＣＲ＝ＣＨ２、
Ｆ（ＣＦ２）４Ｃ２Ｈ４ＯＣＯＣ２Ｈ４ＣＯＯＣ２Ｈ４（ＣＦ２）４Ｆ、
Ｆ（ＣＦ２）４Ｃ２Ｈ４ＯＣＯＣ４Ｈ８ＣＯＯＣ２Ｈ４（ＣＦ２）４Ｆ、
Ｆ（ＣＦ２）４Ｃ２Ｈ４ＯＣＯＣ２Ｈ４ＣＯＯＣ２Ｈ４（ＣＦ２）６Ｆ、
Ｆ（ＣＦ２）４Ｃ２Ｈ４ＯＣＯＣ２Ｈ４ＣＯＯＣ２Ｈ４（ＣＦ２）８Ｆ、
Ｆ（ＣＦ２）８Ｃ２Ｈ４ＯＣＯＣ２Ｈ４ＣＯＯＣ２Ｈ４（ＣＦ２）８Ｆ、
Ｆ（ＣＦ２）８Ｃ２Ｈ４ＯＣＯＣＨ＝ＣＨＣＯＯＣ２Ｈ４（ＣＦ２）８Ｆ、
Ｆ（ＣＦ２）６Ｃ２Ｈ４ＯＣＯＣ２Ｈ４ＣＯＯＣ２Ｈ４（ＣＦ２）６Ｆ、
Ｆ（ＣＦ２）４Ｃ２Ｈ４ＯＣＯＣＨ＝ＣＨＣＯＯＣ２Ｈ４（ＣＦ２）４Ｆ、
Ｆ（ＣＦ２）６（ＣＨ２ＣＨ（ＯＨ）ＣＨ２）ＯＣＯＣ２Ｈ４ＣＯＯ（ＣＨ２ＣＨ（ＯＨ）ＣＨ２）（ＣＦ２）６Ｆ、
Ｆ（ＣＦ２）４ＳＯ２Ｎ（Ｃ２Ｈ５）Ｃ２Ｈ４ＯＣＯＣ２Ｈ４ＣＯＯＣ２Ｈ４Ｎ（Ｃ２Ｈ５）ＳＯ２（ＣＦ２）４Ｆ。
【手続補正５】
【補正対象書類名】明細書
【補正対象項目名】００６９
【補正方法】変更
【補正の内容】
【００６９】
【発明の効果】
本発明は、直鎖に結合した４個の炭素原子からなり、１個の２重結合を２位に有し、かつ、任意の炭素原子にポリフルオロアルキル基が結合している繰り返し単位（Ａ）を含む重合体（ａ）と、親水親油バランス（ＨＬＢ値）が１０以上の界面活性剤とを含むことにより、物品に優れた撥水撥油性、防汚性を付与できる。また、本発明は、洗濯、摩擦等に対する耐久性に優れる撥水撥油性および防汚性を物品に付与できる水性分散液を提供できる。さらに、本発明は、取り扱いが簡便で、かつ、環境に与える負荷が少ない水分散液を提供できる。